(57)【要約】【課題】本発明は、起泡力、泡のクリーミー性、泡の保持性等の泡性能が実用上に優れ、タンパク変性が少なく安全性が高い洗浄剤組成物を提供することを目的とする。【解決手段】本発明は、特定の一般式（１）で表されるＮ−アシルアスパラギン酸及び／又はその塩を含み、前記Ｎ−アシルアスパラギン酸及び／又はその塩が、成分（ａ）：Ｒ１が炭素数７以上１３以下の直鎖アルキル基であるＮ−アシルアスパラギン酸及び／又はその塩と、成分（ｂ）：Ｒ１が炭素数１４以上２３以下の直鎖アルキル基であるＮ−アシルアスパラギン酸及び／又はその塩、並びに、Ｒ１が炭素数１０以上２３以下の分岐アルキル基であるＮ−アシルアスパラギン酸及び／又はその塩からなる群より選択される少なくとも１種と、を含み、前記成分（ａ）と成分（ｂ）との配合比（質量比：（ｂ）／（ａ））が０を超えて１．０未満である、洗浄剤組成物。【選択図】なし【特許請求の範囲】
【請求項１】
下記一般式（１）で表されるＮ−アシルアスパラギン酸及び／又はその塩
【化１】
2020023623.tif 000008
（Ｒ１は炭素数７以上２３以下のアルキル基を示す。Ｍ1、Ｍ2は各々独立して、水素原子、アルカリ金属若しくはアルカリ土類金属の金属原子、有機若しくは無機アンモニウム、塩基性アミノ酸、又はコリンを示す。）を含み、
前記Ｎ−アシルアスパラギン酸及び／又はその塩が、
成分（ａ）：Ｒ１が炭素数７以上１３以下の直鎖アルキル基であるＮ−アシルアスパラギン酸及び／又はその塩と、
成分（ｂ）：Ｒ１が炭素数１４以上２３以下の直鎖アルキル基であるＮ−アシルアスパラギン酸及び／又はその塩、並びに、Ｒ１が炭素数１０以上２３以下の分岐アルキル基であるＮ−アシルアスパラギン酸及び／又はその塩からなる群より選択される少なくとも１種と、
を含み、
前記成分（ａ）と成分（ｂ）との配合比（質量比：（ｂ）／（ａ））が０を超えて１．０未満である、洗浄剤組成物。
【請求項２】
前記成分（ａ）が、
Ｒ１が炭素数１１の直鎖アルキル基であるラウロイルアスパラギン酸及び／又はその塩、並びに、Ｒ１が炭素数１３の直鎖アルキル基であるミリストイルアスパラギン酸及び／又はその塩
からなる群より選択される少なくとも１種である、請求項１に記載の洗浄剤組成物。
【請求項３】
前記成分（ｂ）が、
Ｒ１が炭素数１５の直鎖アルキル基であるパルミトイルアスパラギン酸及び／又はその塩、
Ｒ１が炭素数１７の直鎖アルキル基であるステアロイルアスパラギン酸及び／又はその塩、
Ｒ１が炭素数１５の分岐アルキル基であるｉｓｏパルミトイルアスパラギン酸及び／又はその塩、並びに、
Ｒ１が炭素数１７の分岐アルキル基であるｉｓｏステアロイルアスパラギン酸及び／又はその塩
からなる群より選択される少なくとも１種である、請求項１又は２に記載の洗浄剤組成物。
【請求項４】
水を５０質量％以上含む、請求項１〜３のいずれか一項に記載の洗浄剤組成物。
【発明の詳細な説明】
【技術分野】
【０００１】
本発明は、洗浄剤組成物に関する。
【背景技術】
【０００２】
アシルアミノ酸系界面活性剤は、毛髪や皮膚のｐＨに近い弱酸性処方を可能にすることから近年特に重要視されている。特にアシルグルタミン酸系界面活性剤やアシルアスパラギン酸系界面活性剤はシットリとした使用感が好まれている。しかし、アシルアスパラギン酸系界面活性剤はアシルグルタミン酸系界面活性剤と比較して起泡力、泡のクリーミー性、泡の保持性能等も泡性能に優れているが、化粧品等の洗浄剤組成物で一般的に使用されるラウレス硫酸塩と比較すると泡性能は劣っている。例えば、特許文献１には、アシルアスパラギン系界面活性剤を使用した洗浄剤組成物の発明が開示され、泡性能に優れることが記載されている。また、特許文献２には、起泡性や増粘性などを向上させた洗浄剤組成物として、アシルアミノ酸類、ポリオキシエチレンアルキルエーテル硫酸塩、窒素含有非イオン性界面活性剤、有機酸又はその塩、アルコール類及びグリチルレチン酸類を含有する洗浄剤組成物が開示されている。
【先行技術文献】
【特許文献】
【０００３】
【特許文献１】特開２００５−３２５２４６号公報
【特許文献２】特開平１０−１５８６９１号公報
【発明の概要】
【発明が解決しようとする課題】
【０００４】
しかしながら、上記技術では、当業者が望むような十分な起泡性を得ることは困難な場合があり、改善の余地がある。
本発明は、起泡力、泡のクリーミー性、泡の保持性等の泡性能が実用上に優れタンパク変性が少なく安全性が高い洗浄剤組成物を提供することを目的とする。
【課題を解決するための手段】
【０００５】
本発明者等は、上記目的を達成すべく鋭意研究を重ねた結果、アシルアスパラギン酸系界面活性剤のアシル基を特定のアシル基に変更することにより上記目的が達成されることを見いだし、本発明を完成させた。
【０００６】
すなわち、本発明は下記の通りである。
［１］
下記一般式（１）で表されるＮ−アシルアスパラギン酸及び／又はその塩
【化１】
2020023623.tif 000002
（Ｒ１は炭素数７以上２３以下のアルキル基を示す。Ｍ1、Ｍ2は各々独立して、水素原子、アルカリ金属若しくはアルカリ土類金属の金属原子、有機若しくは無機アンモニウム、塩基性アミノ酸、又はコリンを示す。）を含み、
前記Ｎ−アシルアスパラギン酸及び／又はその塩が、
成分（ａ）：Ｒ１が炭素数７以上１３以下の直鎖アルキル基であるＮ−アシルアスパラギン酸及び／又はその塩と、
成分（ｂ）：Ｒ１が炭素数１４以上２３以下の直鎖アルキル基であるＮ−アシルアスパラギン酸及び／又はその塩、並びに、Ｒ１が炭素数１０以上２３以下の分岐アルキル基であるＮ−アシルアスパラギン酸及び／又はその塩からなる群より選択される少なくとも１種と、
を含み、
前記成分（ａ）と成分（ｂ）との配合比（質量比：（ｂ）／（ａ））が０を超えて１．０未満である、洗浄剤組成物。
［２］
前記成分（ａ）が、
Ｒ１が炭素数１１の直鎖アルキル基であるラウロイルアスパラギン酸及び／又はその塩、並びに、Ｒ１が炭素数１３の直鎖アルキル基であるミリストイルアスパラギン酸及び／又はその塩
からなる群より選択される少なくとも１種である、［１］に記載の洗浄剤組成物。
［３］
前記成分（ｂ）が、
Ｒ１が炭素数１５の直鎖アルキル基であるパルミトイルアスパラギン酸及び／又はその塩、
Ｒ１が炭素数１７の直鎖アルキル基であるステアロイルアスパラギン酸及び／又はその塩、
Ｒ１が炭素数１５の分岐アルキル基であるｉｓｏパルミトイルアスパラギン酸及び／又はその塩、並びに、
Ｒ１が炭素数１７の分岐アルキル基であるｉｓｏステアロイルアスパラギン酸及び／又はその塩
からなる群より選択される少なくとも１種である、［１］又は［２］に記載の洗浄剤組成物。
［４］
水を５０質量％以上含む、［１］〜［３］のいずれかに記載の洗浄剤組成物。
【発明の効果】
【０００７】
本発明により、起泡力、泡のクリーミー性、泡の保持性等の泡性能が実用上に優れ、タンパク変性が少なく安全性が高い洗浄剤組成物を提供することが可能となる。
【発明を実施するための形態】
【０００８】
以下、本発明を実施するための形態（以下、単に「本実施形態」という。）について詳細に説明する。以下の本実施形態は本発明の例示であり、本発明は以下の内容に限定されない。そして、本発明は、その要旨の範囲内で適宜に変形して実施できる。
【０００９】
＜洗浄剤組成物＞
本実施形態の洗浄剤組成物は、
下記一般式（１）で表されるＮ−アシルアスパラギン酸及び／又はその塩
【化２】
2020023623.tif 000003
（Ｒ１は炭素数７以上２３以下のアルキル基を示す。Ｍ1、Ｍ2は各々独立して、水素原子、アルカリ金属若しくはアルカリ土類金属の金属原子、有機若しくは無機アンモニウム、塩基性アミノ酸、又はコリンを示す。）を含み、
前記Ｎ−アシルアスパラギン酸及び／又はその塩が、
成分（ａ）：Ｒ１が炭素数７以上１３以下の直鎖アルキル基であるＮ−アシルアスパラギン酸及び／又はその塩と、
成分（ｂ）：Ｒ１が炭素数１４以上２３以下の直鎖アルキル基であるＮ−アシルアスパラギン酸及び／又はその塩、並びに、Ｒ１が炭素数１０以上２３以下の分岐アルキル基であるＮ−アシルアスパラギン酸及び／又はその塩からなる群より選択される少なくとも１種と、
を含み、
前記成分（ａ）と成分（ｂ）との配合比（質量比：（ｂ）／（ａ））が０を超えて１．０未満である。
【００１０】
＜（ａ）成分について＞
本実施形態において、（ａ）成分とは、下記一般式（１）で表されるＲ１が炭素数７以上１３以下の直鎖アルキル基であるＮ−アシルアスパラギン酸及び／又はその塩である。
【００１１】
【化３】
2020023623.tif 000004
（Ｒ１は炭素数７以上１３以下のアルキル基を示す。Ｍ1、Ｍ2は各々独立して、水素原子、アルカリ金属若しくはアルカリ土類金属の金属原子、有機若しくは無機アンモニウム、塩基性アミノ酸、又はコリンを示す。）
【００１２】
（ａ）成分であるＮ−アシルアスパラギン酸としては、Ｒ１の炭素数が７以上１３以下の直鎖のアルキル基を有していれば特に限定されないが、性能や入手容易性の観点より、Ｎ−カプリロイルアスパラギン酸（Ｒ１：炭素数７）、Ｎ−カプロイルアスパラギン酸（Ｒ１：炭素数９）、Ｎ−ラウロイルアスパラギン酸（Ｒ１：炭素数１１）、Ｎ−ミリストイルイルアスパラギン酸（Ｒ１：炭素数１３）、が好ましい。より好ましくは、Ｎ−ラウロイルアスパラギン酸、Ｎ−ミリストイルイルアスパラギン酸である。
【００１３】
これらの塩としては、特に限定されないが、例えば、ナトリウム塩、カリウム塩、リチウム塩、マグネシウム塩、カルシウム塩等の金属塩；アンモニウム塩、アルキルアンモニウム塩等のアンモニウム塩；モノエタノールアミン塩、ジエタノールアミン塩、トリエタノールアミン塩、アミノメチルプロパノール塩等のアミン塩；リジン塩、アルギニン塩等の塩基性アミノ酸塩、コリン塩等の単一物あるいは混合物が挙げられる。性能や入手容易性の観点より、対イオンがナトリウム、カリウムで、トリエタノールアミンであるＮ−アシルアスパラギン酸塩を用いることが好ましい。
【００１４】
また、成分（ａ）としては、Ｒ１が炭素数１１の直鎖アルキル基であるラウロイルアスパラギン酸及び／又はその塩、並びに、Ｒ１が炭素数１３の直鎖アルキル基であるミリストイルアスパラギン酸及び／又はその塩からなる群より選択される少なくとも１種であることが好ましい。本実施形態の洗浄剤組成物は、このような成分（ａ）を含んでいると、泡性能が一層優れ、タンパク変性がより少なく安全性が更に向上する傾向にある。
【００１５】
Ｎ−アシルアスパラギン酸とＮ−アシルアスパラギン酸塩とを併用してもよい。また、塩の配合に代えて、Ｎ−アシルアスパラギン酸と塩基とを、それぞれ配合し、配合処方の中で塩を形成することもできる。
【００１６】
＜（ｂ）成分について＞
本実施形態において、（ｂ）成分とは、下記一般式（１）で表されるＲ１が炭素数１４以上２３以下の直鎖アルキル基であるＮ−アシルアスパラギン酸及び／又はその塩、並びに、Ｒ１が炭素数１０以上２３以下の分岐アルキル基であるＮ−アシルアスパラギン酸及び／又はその塩からなる群より選択される少なくとも１種である。
【００１７】
【化４】
2020023623.tif 000005
（Ｒ１は、炭素数１４以上２３以下の直鎖アルキル基及び／又は炭素数１０以上２３以下の分岐アルキル基を示す。Ｍ1、Ｍ2は各々独立して、水素原子、アルカリ金属若しくはアルカリ土類金属の金属原子、有機若しくは無機アンモニウム、塩基性アミノ酸、又はコリンを示す。）
【００１８】
（ｂ）成分であるＮ−アシルアスパラギン酸としては、Ｒ１の炭素数が１４以上２３以下の直鎖のアルキル基及び／又はＲ１の炭素数が１０以上２３以下の分岐アルキル基を有していれば特に限定されない。Ｒ１の炭素数が１４以上２３以下の直鎖のアルキル基であるＮ−アシルアスパラギン酸としては、性能や入手容易性の観点より、Ｎ−パルミトイルアスパラギン酸（Ｒ１：炭素数１５）、Ｎ−ステアロイルアスパラギン酸（Ｒ１：炭素数１７）、Ｎ−オレイルアスパラギン酸（Ｒ１：炭素数１７の不飽和）、Ｎ−アラキジルアスパラギン酸（Ｒ１：炭素数１９）、Ｎ−ベヘニルアスパラギン酸（Ｒ１：炭素数２１）が好ましい。より好ましくはＮ−パルミトイルアスパラギン酸（Ｒ１：炭素数１５）、Ｎ−ステアロイルアスパラギン酸（Ｒ１：炭素数１７）である。また、Ｒ１の炭素数が１０以上２３以下の分岐のアルキル基であるＮ−アシルアスパラギン酸としては、性能や入手容易性の観点より、Ｎ−イソ（ｉｓｏ）ラウロイルアスパラギン酸（Ｒ１：炭素数１１）、Ｎ−イソ（ｉｓｏ）ミリストイルイルアスパラギン酸（Ｒ１：炭素数１３）、Ｎ−イソ（ｉｓｏ）パルミトイルアスパラギン酸（Ｒ１：炭素数１５）、Ｎ−イソ（ｉｓｏ）ステアロイルアスパラギン酸（Ｒ１：炭素数１７）、Ｎ−イソ（ｉｓｏ）アラキジルアスパラギン酸（Ｒ１：炭素数１９）、Ｎ−イソ（ｉｓｏ）ベヘニルアスパラギン酸（Ｒ１：炭素数２１）が好ましい。より好ましくはＮ−イソ（ｉｓｏ）パルミトイルアスパラギン酸（Ｒ１：炭素数１５）、Ｎ−イソ（ｉｓｏ）ステアロイルアスパラギン酸（Ｒ１：炭素数１７）である。
【００１９】
これらの塩としては、特に限定されないが、例えば、ナトリウム塩、カリウム塩、リチウム塩、マグネシウム塩、カルシウム塩等の金属塩；アンモニウム塩、アルキルアンモニウム塩等のアンモニウム塩；モノエタノールアミン塩、ジエタノールアミン塩、トリエタノールアミン塩、アミノメチルプロパノール塩等のアミン塩；リジン塩、アルギニン塩等の塩基性アミノ酸塩、コリン塩等の単一物あるいは混合物が挙げられる。性能や入手容易性の観点より、対イオンがナトリウム、カリウムで、トリエタノールアミンであるＮ−アシルアスパラギン酸塩を用いることが好ましい。
【００２０】
また、成分（ｂ）としては、Ｒ１が炭素数１５の直鎖アルキル基であるパルミトイルアスパラギン酸及び／又はその塩、Ｒ１が炭素数１７の直鎖アルキル基であるステアロイルアスパラギン酸及び／又はその塩、Ｒ１が炭素数１５の分岐アルキル基であるｉｓｏパルミトイルアスパラギン酸及び／又はその塩、並びに、Ｒ１が炭素数１７の分岐アルキル基であるｉｓｏステアロイルアスパラギン酸及び／又はその塩からなる群より選択される少なくとも１種であることが好ましい。本実施形態の洗浄剤組成物は、このような成分（ｂ）を含んでいると、泡性能が一層優れ、タンパク変性がより少なく安全性が更に向上する傾向にある。
【００２１】
Ｎ−アシルアスパラギン酸とＮ−アシルアスパラギン酸塩とを併用してもよい。また、塩の配合に代えて、Ｎ−アシルアスパラギン酸と塩基とを、それぞれ配合し、配合処方の中で塩を形成することもできる。
【００２２】
＜配合比について＞
本実施形態の洗浄剤組成物において、成分（ａ）と成分（ｂ）との配合比（質量比：（ａ）／（ｂ））が０を超えて１．０未満である。本実施形態の洗浄剤組成物は、成分（ａ）と成分（ｂ）とを当該質量比で配合することにより、起泡力、泡のクリーミー性、泡の保持性等の泡性能が実用上に優れることが可能となる。より好ましくは（ｂ）／（ａ）＝０．０３〜０．６であり、更に好ましくは（ｂ）／（ａ）＝０．０４〜０．５である。
【００２３】
本実施形態の洗浄剤組成物において、洗浄剤組成物全体に対する成分（ａ）及び成分（ｂ）の合計の含有率は特に限定されないが、１〜５０質量％であることが好ましい。より好ましくは５〜４０質量％であり、更に好ましくは１０〜３５質量％である。
【００２４】
＜水＞
本実施形態の洗浄剤組成物は、水を５０質量％以上含むことが好ましい。洗浄剤組成物全体に対する水の含有率は特に限定されないが、５０〜９９質量％であることが好ましく、より好ましくは６０〜９５質量％であり、更に好ましくは６５〜９０質量％である。
【００２５】
＜ｐＨ＞
本実施形態の洗浄剤組成物において、ｐＨに制限はないが、４．０〜８．０が好ましく、より好ましくは４．５〜７．５であり、更に好ましくは５．０〜７．０である。
【００２６】
＜陰イオン系界面活性剤＞
本実施形態の洗浄剤組成物に併用することの出来る陰イオン系界面活性剤としては、特に限定されないが、例えば、
ラウリル硫酸ナトリウム、ラウリル硫酸カリウム、ミリスチル硫酸ナトリウム、ミリスチル硫酸カリウム、セチル硫酸ナトリウム、ステアリル硫酸ナトリウム、オレイル硫酸ナトリウム、ラウリル硫酸トリエタノールアミン等のアルキル硫酸及びその塩；
ポリオキシエチレンラウリルエーテル硫酸ナトリウム、ポリオキシエチレンセチルエーテル硫酸ナトリウム、ポリオキシエチレンオレイルエーテル硫酸ナトリウム、ポリオキシエチレンラウリルエーテル硫酸トリエタノールアミン等のアルキルエーテル硫酸及びその塩；ポリオキシエチレンオクチルフェニルエーテル硫酸ナトリウム等のアルキルアリールエーテル硫酸及びその塩；ポリオキシエチレンラウリン酸アミドエーテル硫酸ナトリウム、ポリオキシエチレンラウリン酸アミドエーテル硫酸トリエタノールアミン、ポリオキシエチレンミリスチン酸アミドエーテル硫酸ナトリウム、ポリオキシエチレンオレイン酸アミドエーテル硫酸ナトリウム、ポリオキシエチレンヤシ油脂肪酸アミドエーテル硫酸ナトリウム、オレイン酸アミドエーテル硫酸ナトリウム等のアルキルアミド硫酸及びその塩；硬化ヤシ油脂肪酸グリセリン硫酸ナトリウム等のアシルエステル硫酸及びその塩；ラウリルスルホン酸ナトリウム、ミリスチルスルホン酸ナトリウム、ヤシ油アルキルスルホン酸ナトリウム等のアルキルスルホン酸及びその塩；リニアドデシルベンゼンスルホン酸ナトリウム、リニアドデシルベンゼンスルホン酸トリエタノールアミン等のアルキルベンゼンスルホン酸及びその塩；アルキルナフタレンスルホン酸及びその塩；ナフタレンスルホン酸塩のホルマリン重縮合物等のホルマリン縮合系スルホン酸及びその塩；スルホコハク酸ラウリル２ナトリウム、ジ−２−エチルヘキシルスルホコハク酸ナトリウム、ポリオキシエチレンスルホコハク酸ラウリル２ナトリウム、オレイン酸アミドスルホコハク酸２ナトリウム等のスルホコハク酸及びその塩；
【００２７】
ドデセンスルホン酸ナトリウム、テトラデセンスルホン酸ナトリウム、ドデセンスルホン酸カリウム、デトラデセンスルホン酸カリウム等のα−オレフィンスルホン酸及びその塩；α−スルホラウリン酸メチルエステル、α−スルホミリスチン酸メチルエステル、α−スルホラウリン酸（ＥＯ）ｎメチルエステル等のα−スルホ脂肪酸エステル及びその塩；ヤシ油脂肪酸アシル−Ｎメチルタウリンカリウム、ラウロイル−Ｎメチルタウリンナトリウム、ラウロイル−Ｎメチルタウリンカリウム、ラウロイル−Ｎメチルタウリントリエタノールアミン、ミリストイル−Ｎメチルタウリンナトリウム、ミリストイル−Ｎメチルタウリントリエタノールアミン、ヤシ油脂肪酸アシル−Ｎメチルタウリンナトリウム、ヤシ油脂肪酸アシル−Ｎメチルタウリントリエタンールアミン等のＮ−アシルメチル−タウリン及びその塩；ラウロイルイセチオン酸ナトリウム、ミリストイルイセチオン酸ナトリウム、ヤシ油脂肪酸アシルイセチオン酸ナトリウム等のアシルイセチオン酸及びその塩；アルキルスルホ酢酸塩；ポリオキシエチレンラウリルエーテルリン酸ナトリウム、ポリオキシエチレンセチルエーテルリン酸ナトリウム、ポリオキシエチレンミリスチルリン酸カリウム、ポリオキシエチレンオレイルエーテルリン酸ナトリウム、ジポリオキシエチレンオレイルエーテルリン酸ナトリウム等のアルキルエーテルリン酸及びその塩；アルキルアリールエーテルリン酸及びその塩；ポリオキシエチレンラウリルアミドエーテルリン酸ナトリウム等の脂肪酸アミドエーテルリン酸及びその塩；
【００２８】
ラウリルリン酸ナトリウム、ミリスチルリン酸ナトリウム、ヤシ油脂肪酸リン酸ナトリウム、ミリスチルリン酸カリウム、ラウリルリン酸トリエタノールアミン、オレイルリン酸ジエタノールアミン等のアルキルリン酸及びその塩；Ｎ−ラウロイルグルタミン酸ナトリウム、Ｎ−ミリストイルグルタミン酸ナトリウム、Ｎ−ヤシ油脂肪酸アシルグルタミン酸ナトリウム、Ｎ−ラウロイルグルタミン酸カリウム、Ｎ−ミリストイルグルタミン酸カリウム、Ｎ−ヤシ油脂肪酸アシルグルタミン酸カリウム、Ｎ−ラウロイルグルタミン酸トリエタノールアミン、Ｎ−ミリストイルグルタミン酸トリエタノールアミン、Ｎ−ヤシ油脂肪酸アシルグルタミン酸トリエタンールアミン、Ｎ−ラウロイルグリシンナトリウム、Ｎ−ミリストイルグリシントリエタノールアミン、Ｎ−ラウロイル−β−アラニンカリウム、Ｎ−ラウロイルスレオニントリエタノールアミン、Ｎ−ラウロイルサルコシンナトリウム、Ｎ−ラウロイル−Ｎ−メチル−β−アラニンナトリウム、Ｎ−ラウロイル−Ｎ−メチル−β−アラニントリエタノールアミン等のＮ−アシルアミノ酸及びその塩；ラウロイルイミノジ酢酸ナトリウム、ラウロイルイミノジ酢酸トリエタノールアミン、ヤシ油脂肪酸アシルイミノジ酢酸ナトリウム、ラウロイルイミノジ酢酸ジナトリウム、パーム核脂肪酸イミノジ酢酸ナトリウム等のアシルイミノジ酢酸及びその塩；ポリオキシエチレンラウリルエーテル酢酸ナトリウム、ポリオキシエチレンミリスチルエーテル酢酸カリウム、ポリオキシエチレンパルミチルエーテル酢酸トリエタノールアミン、ポリオキシエチレンステアリルエーテル酢酸ナトリウム、ポリグリセリルラウリルエーテル酢酸ナトリウム等のエーテルカルボン酸及びその塩；ヤシ油脂肪酸シルクペプチド等のアシル化ペプチド；
【００２９】
ポリオキシエチレンラウリン酸アミドエーテルカルボン酸ナトリウム、ポリオキシエチレンミリスチン酸アミドエーテルカルボン酸ナトリウム、ポリオキシエチレンヤシ油脂肪酸アミドエーテルカルボン酸トリエタノールアミン等のアミドエーテルカルボン酸及びその塩；アシル乳酸塩；アルケニルコハク酸及びその塩等が挙げられる。
【００３０】
＜両性系界面活性剤＞
また、本実施形態の洗浄剤組成物に併用することが出来る両性系界面活性剤としては、特に限定されないが、例えば
ココアンホ酢酸ナトリウム、ラウロアン酢酸ナトリウム、ココアンホプロピオン酸ナトリウム、ココアンホジ酢酸ジナトリウム、ヘプタデシルヒドロキシエチルカルボキシラートメチルイミダゾリニウムクロリド／ヘプタデシルビスヒドロキシエチルイミダドリニウム、パーム核脂肪酸アミドエチルヒドロキシエチルアミノプロピオン酸ナトリウム、ヒドロキシアルキル（Ｃ１２、１４）ヒドロキシエチルアラニン、ラウリミノジプロピオン酸ナトリウム、ラウラミノプロピオン酸ナトリウム等のイミダゾリン型
ラウリルベタイン、ココベタイン、ラウラミドプロピルベタイン、コカミドプロピルベタイン、ミリスチルベタイン、パーム核脂肪アミドプロピルベタイン、ステアリルベタイン、ミリスタミドプロピルベタイン、オレイルベタイン、（カプリル／カプラミド）プロピルベタイン、イソステアラミドプロピルベタイン等のアミドベタイン型
ラウラミドプロピルヒドロキシスルタイン、ヒドロキシアルキル（Ｃ１２−１４）ヒドロキシエチルサルコシン、ラウリルヒドロキシスルタイン、コカミドプロピルヒドロキシスルタイン等のアミドスルホベタイン型
ラウラミンオキシド、ココアミンオキシド、オレアミンオキシド、ＰＥＧ−３ラウラミンオキシド、ジヒドロキシエチルラウラミンオキシド、ステアラミンオキシド、ミリスタミンオキシド、ラウラミドプロピルアミンオキシド等のアミンオキシド型等が挙げられる。
特に、アミドベタイン型、イミダゾリン型、アミンオキシド型が好ましく、より好ましくはアミドベタイン型、アミンオキシド型、更に好ましくはコカミドプロピルベタイン、ラウラミドプロピルベタイン、ココベタイン、ラウリルベタイン、ラウラミンオキシド、ココアミンオキシドである。
【００３１】
＜ノニオン系界面活性剤＞
本実施形態の洗浄剤組成物に併用することの出来るノニオン系界面活性剤としては、特に限定されないが、例えば
ＰＯＥ（ポリオキシエチレン）オクチルエーテル、ＰＯＥラウリルエーテル、ＰＯＥミリスチルエーテル、ＰＯＥセチルエーテル、ＰＯＥステアリルエーテル、ＰＯＥオレイルエーテル、ＰＯＥイソステアリルエーテル、ＰＯＥベヘニルエーテル、ＰＯＥオクチル（２−エチル−ヘキシル）エーテル等のポリオキシエチレンアルキルエーテル；ＰＯＥ・ＰＯＰ（ポリオキシプロピレン）ブチルエーテル、ＰＯＥ・ＰＯＥラウリルエーテル、ＰＯＥ・ＰＯＰセチルエーテルＰＯＥ・ＰＯＰグリコール等のポリオキシエチレンポリオキシプロピレングリコール型；ＰＯＥオクチルフェニルエーテル、ＰＯＥノニルフェニルエーテル、ＰＯＥクロロフェニルエーテル、ポリオキシエチレンナフトールエーテル等のポリオキシエチレンアリールエーテル；ＰＯＥ硬化ひまし油エーテル、ＰＯＥひまし油エーテル；その他ＰＯＥラノリンアルコールエーテル、ＰＯＥフィトステロール等のエーテル系；モノステアリン酸ＰＯＥグリセリル、オレイン酸ＰＯＥグリセリル等のポリオキシエチレングリセリン脂肪酸エステル；モノラウリン酸ＰＯＥソルビタン、モノステアリン酸ＰＯＥソルビタン、トリステアリン酸ＰＯＥソルビタン、モノイソステアリン酸ＰＯＥソルビタン等のポリオキシエチレンソルビタン脂肪酸エステル；ヘキサステアリン酸ＰＯＥソルビトール、テトラステアリン酸ＰＯＥソルビトール、テトラオレイン酸ＰＯＥソルビトール、モノラウリン酸ＰＯＥソルビトール等のポリオキシエチレンソルビトール脂肪酸エステル；
【００３２】
ポリエチレングリコールモノラウリン酸、ポリエチレングリコールモノステアリン酸、ポリエチレングリコールモノオレイン酸、ポリエチレングリコールジステアリン酸、ポリエチレングリコールジオレイン酸、ポリエチレングリコールジイソステアリン酸等のポリエチレングリコール脂肪酸エステル；その他ポリエチレングリコールラノリン脂肪酸エステル等のエーテルエステル系；モノステアリン酸グリセリル、自己乳化型モノステアリン酸グリセリル、モノヒドロキシステアリン酸グリセリル、ジステアリン酸グリセリル等のグリセリン脂肪酸エステル；モノステアリン酸ジグリセリル、モノオレイン酸ジグリセリル、ジオレイン酸ジグリセリル、モノイソステアリン酸ジグリセリル、モノステアリン酸テトラグリセリル、トリステアリン酸テトラグリセリル、ペンタステアリン酸テトラグリセリル、モノラウリン酸ヘキサグリセリル、モノミリスチン酸ヘキサグリセリル、ジステアリン酸デカグリセリル、ジイソステアリン酸デカグリセリル等のポリグリセリン脂肪酸エステル；モノラウリン酸ソルビタン、モノステアリン酸ソルビタン、モノオレイン酸ソルビタン、トリオレイン酸ソルビタン、トリステアリン酸ソルビタン、モノイソステアリン酸ソルビタン等のソルビタン脂肪酸エステル；モノラウリン酸エチレングリコール等のエチレングリコール脂肪酸エステル；モノステアリン酸プロピレングリコール、自己乳化型モノステアリン酸プロピレングリコール等のプロピレングリコール脂肪酸エステル；
モノステアリン酸ペンタエリスリトール、モノオレイン酸ペンタエリスリトール等のペンタエリスリトール脂肪酸エステル；マルチトールヒドロキシ脂肪酸エーテル、アルキル化多糖、アルキル（ポリ）グルコシド、シュガーエステル等の糖誘導体；α−モノイソステアリルグリセリルエーテル等のアルキルグリセリルエーテル；アセチル−モノグリ、乳酸モノグリセリド、クエン酸モノグリセリド等の有機酸モノグリセリド；ヤシ油脂肪酸モノエタノールアミド、ラウロイルモノエタノールアミド、ヤシ油脂肪酸メチルエタノールアミド、ミリストイルモノエタノールアミド、ラウロイルジエタノールアミド、ヤシ油脂肪酸ジエタノールアミド、ラウロイルイソプロパノールアミド、ミリストイルイソプロパノールアミド、ヤシ油脂肪酸イソプロパノールアミド、ＰＯＥラウロイルモノエタノールアミド等の脂肪酸アルカノールアミド；ＰＯＥラウリルアミン、ＰＯＥステアリルアミン等のＰＯＥアルキルアミン等が挙げられる。
【００３３】
特に、脂肪酸アルカノールアミドが好ましく、より好ましいのはヤシ油脂肪酸モノエタノールアミド、ヤシ油脂肪酸メチルエタノールアミド、ラウロイルジエタノールアミド、ヤシ油脂肪酸ジエタノールアミド、ラウロイルイソプロパノールアミドである。
【００３４】
＜カチオン系界面活性剤＞
本実施形態の洗浄剤組成物に併用することの出来るカチオン系界面活性剤としては、特に限定されないが、例えば
ラウリルトリメチルアンモニウムクロライド、ミリスチルトリメチルアンモニウムクロライド、パルミチルトリメチルアンモニウムクロライド、ステアリルトリメチルアンモニウムクロライド、オレイルトリメチルアンモニウムクロライド、セチルトリメチルアンモニウムクロライド、ベヘニルトリメチルアンモニウムクロライド、ヤシ油アルキルトリメチルアンモニウムクロライド、牛脂アルキルトリメチルアンモニウムクロライド、ステアリルトリメチルアンモニウムブロミド、ヤシ油アルキルトリメチルアンモニウムブロミド、セチルトリメチルアンモニウムメチル硫酸等のモノアルキル第四級アンモニウム塩；ジオクチルジメチルアンモニウムクロライド、ジラウリルジメチルアンモニウムクロライド、ジステアリルジメチルアンモニウムクロライド等のジアルキル第四級アンモニウム塩；ラノリン脂肪酸アミノプロピルエチルジメチルアンモニウムエチル硫酸、ラウロイルアミノエチルメチルジエチルアンモニウムメチル硫酸等のアシルアミノアルキル第四級アンモニウム塩；ジパルミチルポリエテノキシエチルアンモニウムクロライド、ジステアリルポリエテノキシメチルアンモニウムクロライド等のアルキルエテノキシ第四級アンモニウム塩；ラウリルイソキノリニウムクロライド等のアルキルイソキノリニウム塩；ラウリルジメチルベンジルアンモニウムクロライド、ステアリルジメチルベンジルアンモニウムクロライド等のベンザルコニウム塩；ベンジルジメチル｛２−［２−（ｐ-１,１,３,３、-テトラメチルブチルフェノオキシ）エトオキシ］エチル｝アンモニウムクロライド等のベンゼトニウム塩；セチルピリジニウムクロライド等のピリジニウム塩；イミダゾリニウム塩；Ｎ−ココイルアルギニンエチルエステルピロリドンカルボン酸塩、Ｎ−ラウロイルリジンエチルエチルエステル塩酸塩等のアシル塩基性アミノ酸アルキルエステル塩；ラウリルアミン塩酸塩等の第一級アミン塩；
ジラウリルアミン酢酸塩等の第二級アミン塩；第三級アミン塩；脂肪酸アミドグアニジニウム塩；ラウリルトリエチレングリコールアンモニウムハイドロオキサイド等のアルキルトリアルキレングリコールアンモニウム塩等が挙げられる。
【００３５】
＜その他の成分＞
本実施形態の洗浄剤組成物には、その効果を損なわない範囲において、通常、洗浄剤あるいは化粧料として用いられる各種成分を、その目的に応じて適宜配合することができる。
【００３６】
これらの成分としては、特に限定されないが、例えば、炭酸カルシウム、タルク、マイカ、カオリン、二酸化チタン、二酸化亜鉛等の粉末成分；ホホバ油、マカデミアナッツ油、アボガド油、月見草油、ミンク油、ナタネ油、ヒマシ油、ヒマワリ油、トーモロコシ油、カカオ油、ヤシ油、コメヌカ油、オリーブ油、アーモンド油、ごま油、サフラワー油、大豆油、椿油、パーシック油、ヒマシ油、ミンク油、綿実油、モクロウ、パーム油、パーム核油、卵黄油、ラノリン、スクワレン等の天然動植物油脂類；合成トリグリセライド；スクワラン、流動パラフィン、ワセリン、セレシン、マイクロクリスタリンワックス、イソパラフィン等の炭化水素類；カルナバウロウ、パラフィンワックス、鯨ロウ、ミツロウ、キヤンデリラワックス、ラノリン等のワックス類；セタノール、ステアリルアルコール、ラウリルアルコール、セトステアリルアルコール、オレイルアルコール、ベヘニルアルコール、ラノリンアルコール、水添ラノリンアルコール、ヘキシルデカノール、オクチルドデカノール等の高級アルコール類；コレステリル−オクチルドデシル−ベヘニル等のコレステロール及びその誘導体；イソプロピルミリスチン酸、イソプロピルパルミチン酸、イソプロピルステアリン酸、２エチルヘキサン酸グリセロール、ブチルステアリン酸、リノール酸エチル等のエステル類；ジエチレングリコールモノプロピルエーテル、ポリオキシエチレンポリオキシプロピレンペンタエリトリトールエーテル、ポリオキシプロピレンブチルエーテル等の極性オイル；
【００３７】
その他、メチルフェニルポリシロキサン、メチルポリシロキサン、オクタメチルシクロテトラシロキサン、デカメチルシクロペンタシロキサン、ドデカメチルシクロヘキサシロキサン、メチルシクロポリシロキサン、オクタメチルトリシロキサン、デカメチルテトラシロキサン、ポリオキシエチレン・メチルポリシロキサン共重合体、ポリオキシプロピレン・メチルポリシロキサン共重合体、ポリ（オキシエチレン・オキシプロピレン）メチルポリシロキサン共重合体、メチルハイドロジェンポリシロキサン、テトラヒドロテトラメチルシクロテトラシロキサン、ステアロキシメチルポリシロキサン、セトキシメチルポリシロキサン、メチルポリシロキサンエマルション、高重合メチルポリシロキサン、トリメチルシロキシケイ酸、架橋型メチルポリシロキサン、架橋型メチルフェニルポリシロキサン等、更にはアミノ変性シリコーン、エポキシ変性シリコーン、カルボキシル変性シリコーン、カルビノール変性シリコーン、メタクリル変性シリコーン、メルカプト変性シリコーン、フェノール変性シリコーン、片末端反応性シリコーン、異種官能基変性シリコーン、ポリエーテル変性シリコーン、メチルスチリル変性シリコーン、アルキル変性シリコーン、高級脂肪酸エステル変性シリコーン、親水性特殊変性シリコーン、高級アルコキシ変性シリコーン、高級脂肪酸含有シリコーン、フッ素変性シリコーン等の各種誘導体を含むシリコーン類；パラアミノ安息香酸及びその誘導体、ホモメチル−７Ｎ−アセチルアラントイラニレート、ブチルメトキシベンゾイルメタン、ジ−パラメトキシケイ皮酸−モノ−２−エチルヘキサン酸グリセリル、オクチルシンナメート等のパラメトキシケイ皮酸誘導体、アミルサリシレート等のサリチル酸誘導体、２，４−ジヒドロキシベンゾフェノン等のベンゾフェノン誘導体、ジメトキシベンジリデンジオキソイミダゾリンプロピオン酸エチルヘキシル、酢酸液状ラノリン、コガネバナ根抽出エキス、トリアニリノ−ｐ−カルボエチルヘキシルオキシ−トリアジン等の紫外線吸収剤；
【００３８】
アルブチン、コウジ酸、リン酸アスコルビン酸マグネシウムなどのアスコルビン酸及びその誘導体、グルタチオン、甘草エキス、チョウジエキス、茶抽出物、アスタキサンチン、牛胎盤エキス、トコフェロール及びその誘導体、トラネキサム酸及びその塩、アズレン、γ−ヒドロキシ酪酸等の美白成分；
【００３９】
マルチトール、ソルビトール、グリセリン、プロピレングリコール、１，３−ブチレングリコール、ポリエチレングリコール、グリコール等の多価アルコール、ピロリドンカルボン酸ソーダ、乳酸ソーダ、クエン酸ソーダなど有機酸及びその塩、ヒアルロン酸ソーダなどヒアルロン酸及びその塩、酵母及び酵母抽出液の加水分解物、酵母培養液、乳酸菌培養液など醗酵代謝産物、コラーゲン、エラスチン、ケラチン、セリシン等の水溶性蛋白、コラーゲン加水分解物、カゼイン加水分解物、シルク加水分解物、ポリアスパラギン酸ナトリウム等のぺプチド類及びその塩、トレハロース、キシロビオース、マルトース、ラフィノース、メリビオース、蔗糖、ブドウ糖、植物性粘質多糖等の糖類、結晶性セルロース、非結晶性セルロース、キシラン、マンナン、ガラクタン、アラビナン、アラビノキシラン等の多糖類及びその誘導体、水溶性キチン、キトサン、ペクチン、コンドロイチン硫酸及びその塩等のグリコサミノグリカン及びその塩、グリシン、セリン、スレオニン、アラニン、アスパラギン酸、チロシン、バリン、ロイシン、アルギニン、グルタミン、プロリン酸等のアミノ酸、アミノカルボニル反応物等の糖アミノ酸化合物、アロエ、マロニエ等の植物抽出液、トリメチルグリシン、尿素、尿酸、アンモニア、レシチン、ラノリン、スクワラン、スクワレン、グルコサミン、クレアチニン、ＤＮＡ、ＲＮＡ等の核酸関連物質等の保湿剤；
【００４０】
カルボキシメチルセルロース、ヒドロキシエチルセルロース、ヒドロキシプロピルトリメチルアンモニウムクロリドエーテル、エチルセルロース、ヒドロキシプロピルセルロース、メチルヒドロキシプロピルセルロース、デンプン、可溶性デンプン、カルボキシメチルデンプン、メチルデンプン、アルギン酸プロピレングリコールエステル、メチルセルロース、アラビアガム、キサンタンガム、グアーガム、ローカストビンガム、クインスシード、カラギーナン、ガラクタン、ペクチン、マンナン、デキストラン、サクシノグルカン、カードラン、ゼラチン、カゼイン、アルブミン、コラーゲン、メトキシエチレン無水マレイン酸共重合体、両性メタクリル酸エステル共重合体、ポリ塩化ジメチルメチレンピペリジニウム、ポリアクリル酸エステル共重合体、ポリ酢酸ビニル、ポリビニルアルコール、ポリビニルピロリドン、ポリビニルメチルエーテル、カルボキシビニルポリマー、ポリアクリル酸、ニトロセルロース、ポリエチレングリコール脂肪酸エステル、ジステアリン酸ポリエチレングリコール等のポリオキシエチレン脂肪酸エステル、ポリオキシエチレンジオレイン酸メチルグルコシド等のポリオキシエチレン脂肪酸エステルメチルグリコシド等の増粘剤；エチレンジアミン四酢酸及びその塩類、ヒドロキシエチレンジアミン３酢酸及びその塩類、リン酸、アスコルビン酸、コハク酸、グルコン酸、ポリリン酸塩類、メタリン酸塩類などの金属イオン封鎖剤；
【００４１】
エタノール、プロピレングリコール、１，３−ブチレグリコール等の有機溶剤、ブチルヒドロキシトルエン、トコフェロール、フィチン酸等の酸化防止剤；クエン酸、リンゴ酸、酒石酸、乳酸、アジピン酸、グルタミン酸、アスパラギン酸、マレイン酸等の有機酸；ビタミンＡ及びその誘導体；ビタミンＢ６塩酸塩、ビタミンＢ６トリパルミテート、ビタミンＢ６ジオクタノエート、ビタミンＢ２及びその誘導体等のビタミンＢ類；アスコルビン酸、アスコルビン酸硫酸エステル、アスコルビン酸リン酸エステル等のビタミンＣ類、αトコフェロール、βトコフェロール、γトコフェロール等のビタミンＥ類、ビタミンＤ類、ビタミンＨ、パントテン酸等のビタミン類； ニコチン酸アミド、ニコチン酸ベンジル、γ−オリザノール、アラントイン、グリチルリチン酸（塩）グリチルレチン酸及びその誘導体、ヒノキチオール、ムシジン、ビサボロール、ユーカリプトール、チモールイノシトール、サポニン類（キラヤサポニン、アズキサポニン、ヘチマサポニン等）トラネキサム酸、パントテルエチルエーテル、エチニルエストラジオール、セファランジン、プラセンタエキス、センブリエキス、セファランチン、ビタミンＥ及びその誘導体、ガンマーオリザノールなどの血行促進剤；トウガラシチンキ、ショオウキョウチンキ、カンタリスチンキ、ニコチン酸ベンジルエステルなどの局所刺激剤、各種ビタミンやアミノ酸などの栄養剤、グリチルレチン酸、グリチルリチン酸誘導体、アラントイン、アズレン、アミノカプロン酸、ヒドロコルチゾンなどの抗炎症剤；
【００４２】
酸化亜鉛、硫酸亜鉛、アラントインヒドロキシアルミニウム、塩化アルミニウム、スルホ石炭酸亜鉛、タンニン酸などの収斂剤；メントール、カンフルなどの清涼剤；抗ヒスタミン剤；トコフェロール類、ＢＨＡ、ＢＨＴ、没食子酸、ＮＤＧＡ、ユビキノンなどの酸化防止剤等の各種薬剤；サッカロマイセスなどの酵母、糸状菌、バクテリア、牛胎盤、人胎盤、人臍帯、酵母、牛コラーゲン、牛乳由来蛋白、小麦、大豆、牛血液、ブタ血液、鶏冠、カミツレ、キュウリ、コメ、シアバター、シラカバ、茶、トマト、ニンニク、ハマメリス、バラ、ヘチマ、ホップ、モモ、アンズ、レモン、キウイ、ドクダミ、トウガラシ、クララ、ギシギシ、コウホネ、セージ、ノコギリ草、ゼニアオイ、センキュウ、センブリ、タイム、トウキ、トウヒ、バーチ、スギナ、ヘチマ、マロニエ、ユキノシタ、アルニカ、ユリ、ヨモギ、シャクヤク、アロエ、アロエベラ、オウゴン、オウバク、コウカ、ベニバナ、サンシン、シコン、タイソウ、チンピ、ニンジン、ヨクイニン、ハトムギ、クチナシ、サワラ等の動植物・微生物及びその一部から有機溶媒、アルコール、多価アルコール、水、水性アルコール等で抽出又は加水分解して得た天然エキス；色素；香料；ラノリン、コレステロール、サポニン等の天然界面活性剤；アルギン酸ナトリウム、澱粉誘導体、トラガントゴム等の高分子界面活性；精製水等を配合することができる。
【００４３】
この内粉末成分との併用は、物理的な摩擦効果によって洗浄力を高めると共に、粒子表面に汚れを吸着することで有効である。
【００４４】
また、油性成分との併用は油性成分の溶剤効果により油性の汚れを可溶化する効果があるために洗浄力の向上に適している。油性成分の中でも、シリコーン類との併用は使用後にさっぱりした感触を与える為に特に有効である。
【００４５】
さらに、保湿剤を併用することは過剰な脱脂による皮膚の荒れを防止することが出来、使用感の向上に寄与する。
【００４６】
金属イオン封鎖剤、酸化防止剤との併用は長期間又は過酷な使用条件下における製品の変化を防止し、良好な使用感を提供しつづける上で有効である。
【００４７】
＜形態＞
本実施形態の洗浄剤組成物の形態としては、特に限定されないが、例えば、液体状、ゲル状、ペースト状、泡状、固体状、粉末状、錠剤等が挙げられるが、毛髪や手指を含む身体の洗浄剤としての使用時の利便性を考慮すると、液体状、ゲル状、ペースト状、泡状が好ましく、より好ましくは液体状、ゲル状、ペースト状であり、更に好ましくは液体状である。
【実施例】
【００４８】
次に、本発明を実施例により更に詳細に説明するが、本発明の技術的範囲及びその実施態様はこれに限定されるものではない。実施例で得られた洗浄剤組成物の特性は、以下の方法によって評価した。
【００４９】
＜洗浄剤組成物の調製＞
表１及び表２に記載された成分（ａ）及び（ｂ）を表に記載された割合（質量％）で混合し、洗浄剤組成物を調製した。
【００５０】
＜泡性能の評価＞
洗浄剤組成物を３．３ｇとり、精製水で３００ｇにし、ミキサーに入れ３０秒間撹拌し、直後の泡の高さを「起泡力」とした。また、直後の泡のきめ細かさを監察して「泡のクリーミー性」とした。そのあと、５分間放置した時の泡の高さを「泡の保持性」とした。上記の「起泡力」、「泡のクリーミー性」、「泡の保持性能」の３つを男女パネラー１０人によって１０段階で総合評価し「泡性能の評価」として示した。
なお、上記の測定する温度は、２５℃とした。
【００５１】
＜タンパク変性＞
リン酸バッファー水溶液に鶏卵アルブミンを溶解させた水溶液と洗浄剤組成物と（水溶液：洗浄剤組成物）を１：９の割合で混合し、一晩放置後に濁度（６６０ｎｍ）を測定した。
【００５２】
［実施例１〜９、比較例１〜７］
得られた洗浄剤組成物の物性を、上記、記載の方法で泡性能の評価及びタンパク変性を測定した。結果を表１及び２の評価欄に示す。
【００５３】
【表１】
2020023623.tif 000006
【００５４】
本実施例の洗浄剤組成物は泡性能において優れた結果を示した。
【００５５】
実施例１〜６の洗浄剤組成物は、所定の要件を満足しているので、良好な泡性能があるが、比較例１〜４の洗浄剤組成物は、所定の要件を満たしていないので、泡性能が大幅に劣る結果となっている。
【００５６】
【表２】
2020023623.tif 000007
【００５７】
本実施例の洗浄剤組成物はタンパク変性において優れた結果を示した。
【００５８】
実施例７〜９の洗浄剤組成物は、所定の要件を満足しているので、タンパク変性が少なく濁りが無かったが、比較例５〜７の洗浄剤組成物は、所定の要件を満たしていないので、タンパク変性が大きく濁りがあり、タンパク変性が大幅に劣る結果となっている。
【産業上の利用可能性】
【００５９】
本発明の洗浄剤組成物は、アシルアスパラギン酸系界面活性剤のアシル基を特定のアシル基に変更することにより、起泡力、泡のクリーミー性、泡の保持性等の泡性能が実用上に優れ、タンパク変性が少なく安全性が高い洗浄剤組成物として利用可能である。